(57)【要約】  着用者の腰部に対応する腰部部位７から、股関節の外側に対応する股間部外側部位１１を通って、膝の近くであって大腿部の内側に対応する部位である膝近傍内側部位１５までいたる部分が、所定幅の螺旋状の伸縮素材３で構成されているズボン１である。
2012043673.tif 000002
【特許請求の範囲】
【請求項１】
着用者の腰部に対応する部位から、股関節の外側に対応する部位を通って、膝の近くであって大腿部の内側に対応する部位である膝近傍内側部位までいたる部分が、所定幅の螺旋状の伸縮素材で構成されていることを特徴とするズボン。
【請求項２】
請求項１に記載のズボンにおいて、
前記伸縮素材の膝近傍内側部位は、前記ズボンのインシームの部位よりも僅かに後方まで達していることを特徴とするズボン。
【請求項３】
請求項１または請求項２に記載のズボンにおいて、
前記伸縮素材の幅は、上から下に向かうにしたがって次第に広くなっていることを特徴とするズボン。
【請求項４】
請求項１〜請求項３のいずれか１項に記載のズボンにおいて、
前記股関節の外側に対応する部位に位置する伸縮素材の下方に、カーゴポケットが設けられており、
前記カーゴポケットの開口部は、前側の部位が後側の部位よりも下方に位置して斜めに開口していることを特徴とするズボン。
【請求項５】
請求項４に記載のズボンにおいて、
前記カーゴポケットには、着用者が直立姿勢をとっているときにほぼ水平方向に所定の長さ延びる第１の底部と、着用者がしゃがんだ姿勢をとっているときにほぼ水平方向に所定の長さ延びる第２の底部とが設けられていることを特徴とするズボン。
【請求項６】
請求項４または請求項５に記載のズボンにおいて、
前記カーゴポケットはマチ材を介して前記ズボンの本体に設けられており、前記カーゴポケットの開口部の両端部は、前記ズボンの本体に直接設けられていることを特徴とするズボン。
【請求項７】
着用者の大腿部の外側に対応する部位に設けられ、開口部の前側の部位が後側の部位よりも下方に位置して斜めに開口しているカーゴポケットを有することを特徴とする作業ズボン。
【請求項８】
請求項７に記載の作業ズボンにおいて、
前記カーゴポケットには、着用者が直立姿勢をとっているときにほぼ水平方向に所定の長さ延びる第１の底部と、着用者がしゃがんだ姿勢をとっているときにほぼ水平方向に所定の長さ延びる第２の底部とが設けられていることを特徴とする作業ズボン。
【請求項９】
請求項７または請求項８に記載の作業ズボンにおいて、
前記カーゴポケットはマチ材を介して前記作業ズボンの本体に設けられており、前記カーゴポケットの開口部の両端部は、前記作業ズボンの本体に直接設けられていることを特徴とする作業ズボン。
【請求項１０】
着用者の腰部に対応する部位から、股関節の外側に対応する部位を通って、膝の近くであって大腿部の内側に対応する部位である膝近傍内側部位までいたる部分が、所定幅の螺旋状の伸縮素材で構成されていることを特徴とするツナギ。
【請求項１１】
請求項１０に記載のツナギにおいて、
前記伸縮素材の膝近傍内側部位は、前記ツナギのズボン部におけるインシームの部位よりも僅かに後方まで達していることを特徴とするツナギ。
【請求項１２】
請求項１０または請求項１１に記載のツナギにおいて、
前記伸縮素材の幅は、上から下に向かうにしたがって次第に広くなっていることを特徴とするツナギ。
【請求項１３】
請求項１０〜請求項１２のいずれか１項に記載のツナギにおいて、
着用者の首の付け根の部位であって斜め前に位置する部位に対応する部位から、腕の付け根の部位であって前側に位置する部位に対応する部位を通って、脇下の部位であって前側に位置する部位に対応する部位までいたる部分が、帯状の伸縮素材で構成されていることを特徴とするツナギ。
【請求項１４】
請求項１０〜請求項１３のいずれか１項に記載のツナギにおいて、
着用者の首の付け根の部位であって斜め後に位置する部位に対応する部位から、腕の付け根の部位であって後側に位置する部位に対応する部位を通って、脇下の部位であって後側に位置する部位に対応する部位までいたる部分が、帯状の伸縮素材で構成されていることを特徴とするツナギ。
【請求項１５】
請求項１０〜請求項１４のいずれか１項に記載のツナギにおいて、
着用者の腰部に対応する部位から、横腹部に対応する部位を通り、腹部の斜め前に対応する部位にいたるまでの部分が、帯状の伸縮素材で構成されていることを特徴とするツナギ。
【請求項１６】
請求項１０〜請求項１５のいずれか１項に記載のツナギにおいて、
前記股関節の外側に対応する部位に位置する伸縮素材の下方に、カーゴポケットが設けられており、
前記カーゴポケットの開口部は、前側の部位が後側の部位よりも下方に位置して斜めに開口していることを特徴とするツナギ。
【請求項１７】
請求項１６に記載のツナギにおいて、
前記カーゴポケットには、着用者が直立姿勢をとっているときにほぼ水平方向に所定の長さ延びる第１の底部と、着用者がしゃがんだ姿勢をとっているときにほぼ水平方向に所定の長さ延びる第２の底部とが設けられていることを特徴とするツナギ。
【請求項１８】
請求項１６または請求項１７に記載のツナギにおいて、
前記カーゴポケットはマチ材を介して前記ツナギの本体に設けられており、前記カーゴポケットの開口部の両端部は、前記ツナギの本体に直接設けられていることを特徴とするツナギ。
【請求項１９】
着用者の大腿部の外側に対応する部位に設けられ、開口部の前側の部位が後側の部位よりも下方に位置して斜めに開口しているカーゴポケットを有することを特徴とするツナギ。
【請求項２０】
請求項１９に記載のツナギにおいて、
前記カーゴポケットには、着用者が直立姿勢をとっているときにほぼ水平方向に所定の長さ延びる第１の底部と、着用者がしゃがんだ姿勢をとっているときにほぼ水平方向に所定の長さ延びる第２の底部とが設けられていることを特徴とするツナギ。
【請求項２１】
請求項１９または請求項２０に記載のツナギにおいて、
前記カーゴポケットはマチ材を介して前記ツナギの本体に設けられており、前記カーゴポケットの開口部の両端部は、前記ツナギの本体に直接設けられていることを特徴とするツナギ。
【発明の詳細な説明】
【技術分野】
【０００１】
本発明は、ズボン、作業ズボンおよびツナギに係り、特に、一部が伸縮素材で構成されているものに関する。
【背景技術】
【０００２】
従来、スポーツウェアやダンス用被服の一部に設けた伸縮素材によって緊締力を発揮し、運動しやすくしているものが知られている（たとえば、特許文献１、特許文献２参照）。【０００３】
特許文献１に記載のスポーツウェアは、内旋または外旋運動に対する運動性を向上させたものであり、腰裏から下衣側面を通って、股下まで旋廻するように、着用者の体を締め付ける伸縮素材を設けてある。【０００４】
また、特許文献２に記載のダンス用被服は、複数の異なる素材をつなぎ合わせて形成してあり、被服の所定の位置に緊締力を発揮する生地を設けてある。これによって、疲労防止や体のバランスを維持しやすくなっている。【０００５】
すなわち、上記従来のスポーツウェアやダンス用被服は、伸縮素材（伸縮部材）によって着用者の体を適度に締め付けることにより、筋肉に負荷を与えて運動時のバランスの維持、疲労防止を実現し、ランニングやダンス等の激しい運動に対して効果を発揮するようになっている。
【先行技術文献】
【特許文献】
【０００６】
【特許文献１】特開２００８−１３８３２２号公報
【特許文献２】特開２００７−２３９１６０号公報
【発明の概要】
【発明が解決しようとする課題】
【０００７】
ところで、太陽光パネルの設置等のために屋根上等で作業する作業者は、長時間にわたるしゃがみ姿勢の維持や、荷物を持ち運ぶ等の際に直立姿勢からしゃがみ姿勢へ移行する運動を行ったりしゃがみ姿勢から直立姿勢へ移行し、屋根上で立って歩いたりする機会が多い。【０００８】
すなわち、屋根上ではバランスを崩して屋根から転落する危険があるので、姿勢を低くして（しゃがんで）倒れにくいようにしているとともに、太陽光パネルの設置位置は作業者の足元になるので、作業者のしゃがんで作業する時間が長くなる。さらに、屋根上での太陽光パネルの運搬や作業位置の変更のために、しゃがみ姿勢から直立姿勢に移行したり直立姿勢からしゃがみ姿勢へ移行する動作を頻繁に繰り返す場合もある。【０００９】
長時間のしゃがみ姿勢やしゃがみ運動に対し、着用者の体の一部を締め付けている上記従来のスポーツウェアやダンス用被服では、着用者の体の一部が必要以上に締め付けられ、快適性を得ることができないという問題がある。【００１０】
さらに、快適性のみならず、従来のスポーツウェアやダンス用被服を着用して長時間しゃがみ姿勢をとり続けると、下肢の血管が圧迫され痺れが発生し、立ち上がったときにバランスを崩すおそれがある。また、しゃがみ姿勢をとるときにズボン（従来のスポーツウェアやダンス用被服）にツッパリがあると、スムーズにしゃがみ姿勢をとることができず、しゃがみ姿勢をとる途中でバランスを崩すおそれがある。【００１１】
これにより、屋根からの転落災害が発生するおそれが高くなる。すなわち、低層住宅に係わる労働において非常に多くの墜転落災害が発生している。平成２１年には、墜落による死傷災害（死亡災害及び休業４日以上）が全産業・全国計で１１４，１５２件発生しており、そのうち１７．５％にあたる２０，００６件が墜落・転落によるものである（平成２１年における業種別・事故の型別死傷災害発生状況、厚生労働省「労働者死傷病報告」：安全衛生情報センターによる）。墜落による死亡災害は、低層住宅関連工事においては事業規模の割にかなり高い割合を占めており、建設業における死亡災害の３９．６２％が墜落によるものであり、墜落の１７．００％が建築工事（低層）によるものである（建設業労働災害防止協会ホームページによる）。【００１２】
クリーンエネルギーとして注目される太陽光発電の増加などで、低層住宅の屋根上作業の件数は増える傾向にあり、また、近年デザインハウスの普及により、低層住宅の形状も多様化し、安全対策を取る事が難しくなっている事情もあり、低層住宅の落下事故の防止は一層重要になっている。【００１３】
また、たとえば、平成１４年度愛知県建設産業協会における主な労災事故」では、屋根上作業時の事故例が多く報告されている。作業者が、屋根上やはしご上で、バランスを崩したり無理な体勢をとることで、大怪我や死亡事故につながっている。作業現場における作業者（着用者）のうける快適性によって、事故を極力防止することができるのである。【００１４】
本発明は、前記問題点に鑑みてなされたものであり、作業者が着用して、しゃがみ姿勢、立膝姿勢、蹲踞の姿勢、胡坐をかいた姿勢等をとっても、快適である（快適性を損なわない）ズボン、作業ズボンおよびツナギを提供することを目的とする。
【課題を解決するための手段】
【００１５】
第１のアスペクトの発明は、着用者の腰部に対応する部位から、股関節の外側に対応する部位を通って、膝の近くであって大腿部の内側に対応する部位である膝近傍内側部位までいたる部分が、所定幅の螺旋状の伸縮素材で構成されているズボンである。【００１６】
第２のアスペクトの発明は、第１のアスペクトのズボンにおいて、前記伸縮素材の膝近傍内側部位は、前記ズボンのインシームの部位よりも僅かに後方まで達しているズボンである。【００１７】
第３のアスペクトの発明は、第１のアスペクトまたは第２のアスペクトのズボンにおいて、前記伸縮素材の幅は、上から下に向かうにしたがって次第に広くなっているズボンである。【００１８】
第４のアスペクトの発明は、第１のアスペクト〜第３のアスペクトのいずれか１のアスペクトのズボンにおいて、前記股関節の外側に対応する部位に位置する伸縮素材の下方に、カーゴポケットが設けられており、前記カーゴポケットの開口部は、前側の部位が後側の部位よりも下方に位置して斜めに開口しているズボンである。【００１９】
第５のアスペクトの発明は、第４のアスペクトのズボンにおいて、前記カーゴポケットには、着用者が直立姿勢をとっているときにほぼ水平方向に所定の長さ延びる第１の底部と、着用者がしゃがんだ姿勢をとっているときにほぼ水平方向に所定の長さ延びる第２の底部とが設けられているズボンである。【００２０】
第６のアスペクトの発明は、第４のアスペクトまたは第５のアスペクトのズボンにおいて、前記カーゴポケットはマチ材を介して前記ズボンの本体に設けられており、前記カーゴポケットの開口部の両端部は、前記ズボンの本体に直接設けられているズボンである。【００２１】
第７のアスペクトの発明は、着用者の大腿部の外側に対応する部位に設けられ、開口部の前側の部位が後側の部位よりも下方に位置して斜めに開口しているカーゴポケットを有する作業ズボンである。【００２２】
第８のアスペクトの発明は、第７のアスペクトの作業ズボンにおいて、前記カーゴポケットには、着用者が直立姿勢をとっているときにほぼ水平方向に所定の長さ延びる第１の底部と、着用者がしゃがんだ姿勢をとっているときにほぼ水平方向に所定の長さ延びる第２の底部とが設けられている作業ズボンである。【００２３】
第９のアスペクトの発明は、第７のアスペクトまたは第８のアスペクトの作業ズボンにおいて、前記カーゴポケットはマチ材を介して前記作業ズボンの本体に設けられており、前記カーゴポケットの開口部の両端部は、前記作業ズボンの本体に直接設けられている作業ズボンである。【００２４】
第１０のアスペクトの発明は、着用者の腰部に対応する部位から、股関節の外側に対応する部位を通って、膝の近くであって大腿部の内側に対応する部位である膝近傍内側部位までいたる部分が、所定幅の螺旋状の伸縮素材で構成されているツナギである。【００２５】
第１１のアスペクトの発明は、第１０のアスペクトのツナギにおいて、前記伸縮素材の膝近傍内側部位は、前記ツナギのズボン部におけるインシームの部位よりも僅かに後方まで達しているツナギである。【００２６】
第１２のアスペクトの発明は、第１０のアスペクトまたは第１１のアスペクトのツナギにおいて、前記伸縮素材の幅は、上から下に向かうにしたがって次第に広くなっているツナギである。【００２７】
第１３のアスペクトの発明は、第１０のアスペクト〜第１２のアスペクトのいずれか１のアスペクトのツナギにおいて、着用者の首の付け根の部位であって斜め前に位置する部位に対応する部位から、腕の付け根の部位であって前側に位置する部位に対応する部位を通って、脇下の部位であって前側に位置する部位に対応する部位までいたる部分が、帯状の伸縮素材で構成されているツナギである。【００２８】
第１４のアスペクトの発明は、第１０のアスペクト〜第１３のアスペクトのいずれか１のアスペクトのツナギにおいて、着用者の首の付け根の部位であって斜め後に位置する部位に対応する部位から、腕の付け根の部位であって後側に位置する部位に対応する部位を通って、脇下の部位であって後側に位置する部位に対応する部位までいたる部分が、帯状の伸縮素材で構成されているツナギである。【００２９】
第１５のアスペクトの発明は、第１０のアスペクト〜第１４のアスペクトのいずれか１のアスペクトのツナギにおいて、着用者の腰部に対応する部位から、横腹部に対応する部位を通り、腹部の斜め前に対応する部位にいたるまでの部分が、帯状の伸縮素材で構成されているツナギである。【００３０】
第１６のアスペクトの発明は、第１０のアスペクト〜第１５のアスペクトのいずれか１のアスペクトのツナギにおいて、前記股関節の外側に対応する部位に位置する伸縮素材の下方に、カーゴポケットが設けられており、前記カーゴポケットの開口部は、前側の部位が後側の部位よりも下方に位置して斜めに開口しているツナギである。【００３１】
第１７のアスペクトの発明は、第１６のアスペクトのツナギにおいて、前記カーゴポケットには、着用者が直立姿勢をとっているときにほぼ水平方向に所定の長さ延びる第１の底部と、着用者がしゃがんだ姿勢をとっているときにほぼ水平方向に所定の長さ延びる第２の底部とが設けられているツナギである。【００３２】
第１８のアスペクトの発明は、第１６のアスペクトまたは第１７のアスペクトのツナギにおいて、前記カーゴポケットはマチ材を介して前記ツナギの本体に設けられており、前記カーゴポケットの開口部の両端部は、前記ツナギの本体に直接設けられているツナギである。【００３３】
第１９のアスペクトの発明は、着用者の大腿部の外側に対応する部位に設けられ、開口部の前側の部位が後側の部位よりも下方に位置して斜めに開口しているカーゴポケットを有するツナギである。【００３４】
第２０のアスペクトの発明は、第１９のアスペクトのツナギにおいて、前記カーゴポケットには、着用者が直立姿勢をとっているときにほぼ水平方向に所定の長さ延びる第１の底部と、着用者がしゃがんだ姿勢をとっているときにほぼ水平方向に所定の長さ延びる第２の底部とが設けられているツナギである。【００３５】
第２１のアスペクトの発明は、第１９のアスペクトまたは第２０のアスペクトのツナギにおいて、前記カーゴポケットはマチ材を介して前記ツナギの本体に設けられており、前記カーゴポケットの開口部の両端部は、前記ツナギの本体に直接設けられているツナギである。
【発明の効果】
【００３６】
本発明によれば、作業者が着用して、しゃがみ姿勢、立膝姿勢、蹲踞の姿勢、胡坐をかいた姿勢等をとっても、快適であるズボン、作業ズボンおよびツナギを得ることができるという効果を奏する。
【図面の簡単な説明】
【００３７】
【図１】本発明の実施形態に係るズボンの概略構成を示す正面図である。
【図２】ズボンの側面図であって図１におけるＩＩ矢視図である。
【図３】ズボンの背面図であって図２におけるＩＩＩ矢視図である。
【図４】ズボンの展開図であって、ズボンを構成している伸縮素材等の平面図である。
【図５】ズボンをはいた着用者が立膝の姿勢をとった状態を示す図である。
【図６】カーゴポケットを設けたズボンの正面図である。
【図７】カーゴポケットを設けたズボンの側面図であって図６におけるＶＩＩ矢視図である。
【図８】着用者の起立姿勢と立膝の姿勢とを示す図である。
【図９】（ａ）は図３におけるＩＸＡ−ＩＸＡ断面を示す図であり、（ｂ）は図３におけるＩＸＢ−ＩＸＢ断面を示す図である。
【図１０】着用者の右側のカーゴポケットの概略構成を示す側面図であって、開口部にフラップがかぶさっている状態を示す図である。
【図１１】着用者の右側のカーゴポケットの概略構成を示す側面図であって、フラップがめくられて開口部があらわれている状態を示す図である。
【図１２】（ａ）は図１１におけるＸＩＩＡ−ＸＩＩＡ断面を示す図であり、（ｂ）は図１１におけるＸＩＩＢ−ＸＩＩＢ断面を示す図であり、（ｃ），（ｄ）は図１１におけるＸＩＩＣ−ＸＩＩＣ断面を示す図である。
【図１３】カーゴポケットを構成しているポケット布等の展開図である。
【図１４】（ａ１）は、本発明の実施形態に係るカーゴポケット付きズボンを着用者がはいて直立の姿勢をとっている状態を示す図であり、（ａ２）は、本発明の実施形態に係るカーゴポケット付きズボンを着用者がはいてしゃがんだ姿勢をとっている状態を示す図であり、（ｂ１）は、従来のカーゴポケット付きズボンを着用者がはいて直立の姿勢をとっている状態を示す図であり、（ｂ２）は、従来のカーゴポケット付きズボンを着用者がはいてしゃがんだ姿勢をとっている状態を示す図である。
【図１５】着用者の皮膚の表面積の変化を示すための図であり、（ａ）は、着用者が起立しているときに下肢や腹部を前側から見た図であり、皮膚の部位（大腿三角を含む大腿部における前側かつ内側の部位）Ａ〜Ｄ、Ａ´〜Ｄ´を示しており、（ｂ）は、皮膚の部位Ａ〜Ｄ、Ａ´〜Ｄ´の展開図である。
【図１６】着用者の皮膚の表面積の変化を示すための図であり、（ａ）は、着用者が立膝姿勢であるときに下肢や腹部を前側から見た図であり、皮膚の部位（大腿三角を含む大腿部における前側かつ内側の部位）Ａ〜Ｄ、Ａ´〜Ｄ´を示しており、（ｂ）は、皮膚の部位Ａ〜Ｄ、Ａ´〜Ｄ´の展開図である。
【図１７】起立している着用者が立膝姿勢になったときにおける着用者の皮膚の表面積の変化（図１５から図１６への変化）を示す図である。
【図１８】着用者の皮膚の表面積の変化を示すための図であり、（ａ）は、着用者が起立しているときに下肢や腹部を後側から見た図であり、皮膚の部位（腰部および尻部）Ｅ〜Ｇ、Ｅ´〜Ｇ´を示しており、（ｂ）は、皮膚の部位Ｅ〜Ｇ、Ｅ´〜Ｇ´の展開図である。
【図１９】着用者の皮膚の表面積の変化を示すための図であり、（ａ）は、着用者が立膝姿勢であるときに下肢や腹部を後側から見た図であり、皮膚の部位（腰部および尻部）Ｅ〜Ｇ、Ｅ´〜Ｇ´を示しており、（ｂ）は、皮膚の部位Ｅ〜Ｇ、Ｅ´〜Ｇ´の展開図である。
【図２０】起立している着用者が立膝姿勢になったときにおける着用者の皮膚の表面積の変化（図１８から図１９への変化）を示す図である。
【図２１】図１６（ａ）にズボンを重ねた図である。
【図２２】図１９（ａ）にズボンを重ねた図である。
【図２３】着用者による従来のズボンのたくし上げを示す図である。
【図２４】本発明の実施形態に係るツナギの概略構成を示す図であり、（ａ）は、ツナギを前方から見た図であり、（ｂ）は、ツナギを後方から見た図である。
【図２５】ツナギの展開図であって、ツナギを構成している伸縮素材等の平面図である。
【図２６】変形例に係るツナギの概略構成を示す図であり、（ａ）は、ツナギを前方から見た図であり、（ｂ）は、ツナギを後方から見た図である。
【図２７】伸縮素材を備えていない従来のズボンの展開図である。
【発明を実施するための形態】
【００３８】
ズボン１は、たとえば作業に使用される長ズボン（作業ズボン）であって、はいた場合に着用者の体には密着しない構成、すなわち、着用者の皮膚との間に若干の空間が存在する形態になっている。なお、ズボン１の着用者が直立姿勢になっているときには、ズボン１は、図１〜図３、図６、図７等で示すような形態になっている。
【００３９】
ズボン１は、所定の部分が伸縮素材（パンツ側伸縮素材；ズボン側伸縮素材）３で構成されている。伸縮素材３は、たとえばニット（編み物）で構成されており、ツーウェイストレッチタイプになっている。すなわち、伸縮素材３は、この面内方向（伸縮素材３の厚さ方向に直交する任意の方向）で伸縮性を備えている。なお、伸縮素材３はズボン１の着用者の体を締め付ける目的で設けられているものではない。
【００４０】
伸縮素材３として、この伸長率（伸び率）が１７０％程度のものが採用されるが、伸縮率が１６０％〜１９０％程度のものを採用してもよいし、伸縮率が１４０％〜２２０％程度のものを採用してもよいし、さらに、伸縮率が１２０％〜２５０％程度のものを採用してもよい。また、伸縮素材３として、伸縮率が１２０％〜１７０％程度のものを採用してもよいし、伸縮率が１１０％〜１３０％程度のものを採用してもよい。
【００４１】
なお、伸縮率は、次の式で表される。（伸縮率＝力を加えたときの伸縮素材３の最大の長さ÷力を加えてないときの伸縮素材３の長さ×１００％）
【００４２】
ここで、力を加えたときの伸縮素材３の最大の長さとは、伸縮素材３に最大の引っ張り力を加えたときの伸縮素材３の長さである。伸縮素材３に加える引っ張り力を「０」からしだいに大きくすると、伸縮素材３はしだいに長くなるが、最大の引っ張り力以上の力で伸縮素材３を引っ張っても、伸縮素材３はほとんど伸びることがなく、伸縮素材３は破断してしまう。また、最大の引っ張り力以下の力で引っ張る限りにおいては、伸縮素材３は復元するようになっているが、最大の引っ張り力（弾性限度における最大引っ張り力）よりも大きな力で引っ張ると、伸縮素材３に永久歪が残ってしまう。
【００４３】
ここで、伸縮率が１７０％である場合について具体的に説明する。所定の厚さと所定の幅で所定の長さＬＡ（引っ張り力を加えていないときの長さがＬＡ；たとえば１００ｍｍ）の伸縮素材３を、この長手方向の両端に引っ張り力を加えて引っ張ることにする。最大引っ張り力を加えると、伸縮素材３の長さは、１．７倍（１．７ＬＡ；たとえば１７０ｍｍ）になる。
【００４４】
また、伸縮素材３以外のズボン１の部位は、伸縮性をほとんど有さない織物（布帛）５で構成されている。織物５の伸縮率は、１００％〜１０５％程度であり、伸縮素材３の伸び率よりも小さくなっている。
【００４５】
なお、伸縮素材３として、ニットに代えて、伸縮性のある布帛を採用してもよい。この伸縮性のある布帛は、たとえば、弾性を備えた糸を織って構成されているものとする。
【００４６】
伸縮素材３は、腰部部位（下側腰部部位）７、臀部上方部位９、股関節外側部位１１、大腿部前側中間部位１３をこれらの順に通って、膝近傍内側部位１５までいたる上下方向に延びたほぼ１巻きの螺旋状の部分に設けられている。また、伸縮素材３は所定の幅になっている。
【００４７】
ここで、腰部部位７は、着用者の腰部（腰部のうちの下側の部位）の真後に対応する部位（着用者の股上部の真後であってウエストバンド部１７の直下の部位；下側腰部部位）である。臀部上方部位９は、着用者の左側もしくは右側の臀部の上部に対応する部位である。股関節外側部位１１は、着用者の股関節の外側に対応する部位（着用者の左の股関節よりもさらに左方に位置する着用者の皮膚の部分に対応する部位、もしくは、着用者の右の股関節よりもさらに右方に位置する着用者の皮膚の部分に対応する部位）である。
【００４８】
大腿部前側中間部位１３は、着用者の大腿部の上下方向における中間部であって大腿部の前側に対応する部位である。膝近傍内側部位１５は、着用者の膝の近くであって大腿部の内側（着用者の左の大腿部にあっては右側、着用者の右の大腿部にあっては左側）に対応する部位である。なお、腰部部位７等は、着用者がズボンを履いたときに着用者の腰部等の皮膚部分と対向するズボンの部位である。
【００４９】
ズボン１は、左右対称に形成されており、螺旋状の伸縮素材３は、左右対称に設けられている。したがって、ズボン１の左側では、左側の腰部部位７Ｌから、左側の臀部上方部位９Ｌ、左側の股関節外側部位１１Ｌ、左側の大腿部前側中間部位１３Ｌを通って、左側の膝近傍内側部位１５Ｌまでいたる部分が、所定の幅の螺旋状（上から下にズボン１を見たときに時計まわりの螺旋状）の伸縮素材３Ｌで構成されている。
【００５０】
ズボン１の右側では、右側の腰部部位７Ｒから、右側の臀部上方部位９Ｒ、右側の股関節外側部位１１Ｒ、右側の大腿部前側中間部位１３Ｒを通って、右側の膝近傍内側部位１５Ｒまでいたる部分が、所定の幅の螺旋状（上から下にズボン１を見たときに反時計まわりの螺旋状）の伸縮素材３Ｒで構成されている。
【００５１】
なお、着用者の腰部のところで、左側の伸縮素材３Ｌと右側の伸縮素材３Ｒとがお互いにつながっている（図３参照）。
【００５２】
以下、ズボン１の左側もしくは右側を例に掲げてさらに詳しく説明する。
【００５３】
左側の伸縮素材３Ｌの膝近傍内側部位１５Ｌは、ズボン１のインシーム１９の部位よりも僅かに後方まで達している（図３参照）。
【００５４】
ここで、左側の伸縮素材３Ｌの膝近傍内側部位１５Ｌがズボン１のインシーム１９の部位よりも僅かに後方まで達していることについて、図９を用いてさらに詳しく説明する。なお、図９は、ズボン１の左側の筒状部（左脚が入る筒状部）の断面を示しているが、ズボン１が上述したように左右対称に形成されているので、ズボン１の右側の筒状部も左側の筒状部と同様に構成されている。
【００５５】
図９（ａ）は、図３におけるＩＸＡ−ＩＸＡ断面を示す図であり、伸縮素材３Ｌの最下端（伸縮素材３Ｌと左後パンツ地２７Ｌとの直線状の接合部の下端）におけるズボン１の断面図であり、図９（ｂ）は、図３におけるＩＸＢ−ＩＸＢ断面を示す図であり、伸縮素材３Ｌの最下端よりもやや上方（伸縮素材３Ｌと左後パンツ地２７Ｌとの直線状の接合部の上端；図３参照）におけるズボン１の断面図である。
【００５６】
図９で示す参照符号ＬＧはズボン１の着用者の大腿部を示しており、参照符号ＰＡ１，ＰＢ１はズボン１のサイドシーム３３を示しており、参照符号ＯＡ，ＯＢは大腿部ＬＧの中心とズボン１の筒状部の中心とを示しており、参照符号ＬＡ１，ＬＢ１はズボン１のサイドシーム３３とインシーム１９とを結んでいる直線を示している。なお、図９（ａ）で示す大腿部ＬＧの中心ＯＡはたとえば直線ＬＡ１上に存在しており、図９（ｂ）で示す大腿部ＬＧの中心ＯＢはたとえば直線ＬＢ１上に存在しているものとする。
【００５７】
図９（ａ）で示す参照符号ＰＡ２は、伸縮素材３Ｌの最下端を示しており（図３も併せて参照）、参照符号ＬＡ２は、大腿部ＬＧの中心ＯＡと伸縮素材３Ｌの最下端ＰＡ２とを結ぶ直線を示している。ここで、直線ＬＡ１と直線ＬＡ２との交差角度θＡ１は、１５°程度になっている。
【００５８】
図９（ｂ）で示す参照符号ＰＢ２は、伸縮素材３Ｌの最下端よりもやや上方を示しており（図３も併せて参照）、参照符号ＬＢ２は、大腿部ＬＧの中心ＯＢと伸縮素材３Ｌの最下端よりもやや上方の部位ＰＢ２とを結ぶ直線を示している。ここで、直線ＬＢ１と直線ＬＢ２との交差角度θＢ１は、１５°程度になっている。なお、参照符号ＰＢ３は、伸縮素材３Ｌと左前パンツ地２５Ｌとの境界である。
【００５９】
これらにより、伸縮素材３Ｌの膝近傍内側部位１５Ｌが、ズボン１のインシーム１９の部位よりも僅かに後方まで達していることになる。なお、交差角度θＡ１や交差角度θＢ１を、１５°よりも広い１０°〜２０°の範囲内で適宜定めてもよいし、さらに広い５°〜３０°の範囲で適宜定めてもよいし、さらに一層広い５°〜４５°もしくは５°〜６０°の範囲で適宜定めてもよい。
【００６０】
右側の伸縮素材３Ｒ（３Ｌ）の幅は、上から下に向かうにしたがって次第に広くなっている。ここで、伸縮素材３Ｒ（３Ｌ）の幅方向は、伸縮素材３Ｒ（３Ｌ）の螺旋状の延伸方向（長手方向）と直交する方向であるが、伸縮素材３Ｒ（３Ｌ）の幅方向を、ズボン１の上下方向としてもよい。
【００６１】
図４では、裁断され縫い合わされる前の右側の伸縮素材３Ｒ等の形状を示している。図４に示す伸縮素材３Ｒ等は、平板状になっている。また、図４の紙面に直交する方向が伸縮素材３Ｒ等の厚さ方向になっている。なお、図４では、理解を容易にするために伸縮素材３Ｒ等の縫い代の表示は省略している。
【００６２】
ズボン１は、伸縮素材３Ｒと、右前開き地２１Ｒ（左前開き地であるなら２１Ｌ）と、右後脇接ぎ地２３Ｒ（左後脇接ぎ地であるなら２３Ｌ）と、右前パンツ地２５Ｒ（左前パンツ地であるなら２５Ｌ）と、右後パンツ地２７Ｒ（左後パンツ地であるなら２７Ｌ）とを、たとえば縫製することで適宜接合（たとえば縫合）して形成されている。
【００６３】
ここで、右前パンツ地２５Ｒの一辺部２９Ｒと右後パンツ地２７Ｒの一辺部３１Ｒとがお互いに接合されて、ズボン１のサイドシーム３３が形成されるようになっている。
【００６４】
また、右前パンツ地２５Ｒの他の一辺部（一辺部２９Ｒと対向している一辺部）３５Ｒと右後パンツ地２７Ｒの他の一辺部（一辺部３１Ｒと対向している一辺部）３７Ｒの一部とがお互いに接合されて、インシーム１９近傍の接合部（縫い合わせ部）３９（図３参照）が形成されている。なお、右前パンツ地２５Ｒで示す二点鎖線Ｌ１は、ズボン１におけるインシーム１９になる箇所である。
【００６５】
また、ズボン１では、伸縮素材３の別の一辺部（長手方向の一方の端部）５２Ｒと、右後パンツ地２７Ｒの他の一辺部３７Ｒの他の一部とがお互いに接合されて、インシーム１９近傍の接合部３９が形成されるようになっている。
【００６６】
これにより、伸縮素材３Ｒの膝近傍内側部位１５Ｒは、ズボン１のインシーム１９の部位よりも僅かに後方まで達するのである（図３、図９参照）。
【００６７】
また、ズボン１では、右前パンツ地２５Ｒの別の一辺部４１Ｒおよび右後パンツ地２７Ｒの別の一辺部４３Ｒと、伸縮素材３の一辺部（幅方向の一方の辺部）４５Ｒとが、お互いに接合され、右前開き地２１Ｒの一辺部４７Ｒおよび右後脇接ぎ地２３Ｒの一辺部４９Ｒと、伸縮素材３の他の一辺部（幅方向の他方の辺部）５１Ｒとが、お互いに接合されるようになっている。なお、上記接合をしやすくするために、伸縮素材３の幅方向の両辺部４５Ｒ，５１Ｒ（４５Ｌ，５１Ｌ）は、概ね直線状になっている。
【００６８】
ズボン１では、上記接合以外の接合もなされるが、他の接合部分については説明を省略する。
【００６９】
上述したように、伸縮素材３、右前開き地２１Ｒ、右後脇接ぎ地２３Ｒ、右前パンツ地２５Ｒ、右後パンツ地２７Ｒが接合されて形成されたズボン１では、伸縮素材３には、圧縮力がかかっていないことはもちろん、引っ張り力もかかっていない。すなわち、なんら外力が加わっていない。
【００７０】
また、ズボン１では、前開き地２１Ｒ，２１Ｌと後脇接ぎ地２３Ｒ，２３Ｌの上部に環状のウエストバンド部１７が縫製等によって接合されており、また、サイドポケット５５と後部ポケット５７とが設けられている。
【００７１】
さらに、ズボン１では、正面視において、股下の接ぎ目６と伸縮素材３との間が所定の距離（インシーム１９のところにおける距離）Ｌ２（たとえば１００ｍｍ程度）離れている（図１参照）。これにより、ズボン１の強度（股下の接ぎ目６における引張り強度等）を上げることができるとともに、正面視したときにおけるズボン１の見栄えを向上させることができる。すなわち、もしも距離Ｌ２を「０」とすると、ズボン１の股下の接ぎ目６において弾性素材３Ｌと弾性素材３Ｒとがお互いに接合されることになり、股下の接ぎ目６における強度が低下するとともに、ズボン１の着用者を正面視したときに下着のパンツをズボンの上に重ねてはいているように見えてしまい見栄えが悪くなる。
【００７２】
しかし、股下の接ぎ目６と伸縮素材３との間を所定の距離Ｌ２だけ離すことで、上記強度不足と見栄えの悪さを回避することができる。
【００７３】
また、ズボン１では、図１で示すように、上下方向において、距離（寸法）Ｌ２の値と距離（寸法）Ｌ３の値と距離（寸法）Ｌ４の値とが、お互いにほぼ等しくなっているか、もしくは、距離Ｌ４の値が距離Ｌ３よりも僅かに大きく距離Ｌ３の値が距離Ｌ２よりも僅かに大きくなっている。
【００７４】
これにより、ズボン１の着用者がしゃがんだ姿勢をとって脚の皮膚が伸びたときであっても、ズボン１が適宜伸びて、着用者が違和感を感じることがなくなる。すなわち、しゃがんだ姿勢では、着用者の大腿部前側の皮膚は、膝部分で最も伸び、膝から股間に向かうにしたがって伸び量が次第に小さくなる。上述したような各寸法Ｌ２，Ｌ３，Ｌ４になっていることで、皮膚が伸びる箇所の近くに伸縮素材３が設けられていることになり、皮膚の伸びに追従して伸縮素材３が伸び、違和感を感じることがほとんど無いのである。なお、寸法Ｌ４を寸法Ｌ２や寸法Ｌ３より小さくしても、大腿部前側の皮膚の伸びには追従するが、その一方で、擦れたりする部分（膝部の近傍）に伸縮素材３が位置してしまうので、好ましくはない。また、寸法Ｌ２を「０」もしくは小さい寸法にすると、大腿部前側の皮膚の伸びる部位と伸縮素材３の位置とが大きくずれてしまうので、違和感を感じてしまう。
【００７５】
なお、上記寸法Ｌ３は、伸縮素材３の上下方向の寸法（インシーム１９のところにおける伸縮素材３の幅）であり、上記寸法Ｌ４は、膝の中心に対応する部位と、伸縮素材３の下端との間の寸法（インシーム１９のところにおける右前パンツ地２５Ｒや左前パンツ地２５Ｌの寸法）である。
【００７６】
ズボン１によれば、着用者がはいたときに、しゃがみ姿勢、立膝姿勢、蹲踞の姿勢、胡坐をかいた姿勢等、膝を開いた姿勢をとっても、快適（快適性を損なわない）であるという効果を奏する。換言すれば、ズボン１は、着用者（作業者）が屋根上等で作業を行うときに、しゃがみ姿勢をとったり開脚等するが、ズボン１は、着用者の上記姿勢に対応して着用者の快適性を確保しているのである。
【００７７】
詳しく説明すると、人体の各関節のうちで、ズボン１に関係する主な関節は、股関節と膝関節である。ズボン１は、たとえば、着用者が股関節と膝関節とを曲げていない状態（起立状態；直立状態）に合わせて、形状が決められている。
【００７８】
ここで、起立状態に対して着用者の脚が最も変形し、着用者がはいているズボン１が着用者の脚から最も変形力を受けるのは、たとえば図５で示すように、着用者が立膝の姿勢になったときである。すなわち、股間が開くように股関節を曲げ、膝関節を曲げ、さらに一方の膝（図５では右の膝）を地面や床につけたときである。このように、立膝の姿勢になると、ズボン１には、図５に矢印で示すような引っ張り力が作用する。このような引っ張り力が作用しても、伸縮素材３が適宜延びるので、ズボン１をはいている着用者は立膝の姿勢をとりやすいのである。
【００７９】
図５で示すように着用者が立膝の姿勢をとった場合、伸縮素材３は、矢印の箇所（膝近傍内側部位）で最も大きく伸縮素材３の幅方向に延びるが、他の箇所でも延びるようになっている。そして、伸縮素材３を１巻きの螺旋状に形成することにより、伸縮素材３が、脚の軸を中心にしてほぼ３６０°設けられていることになり、図５で示すように着用者が立膝の姿勢になった場合、伸縮素材３が適宜弾性変形してズボン１が変形し、着用者が立膝の姿勢をとりやすくなる。
【００８０】
図５で示すように着用者が立膝の姿勢をとった場合について、図８を用いてさらに詳しく説明する。図８（ａ）は、着用者が起立姿勢（直立姿勢）をとっている状態を示す図であり、図８（ｂ）は、着用者が立膝の姿勢をとっている状態を示す図であり、図５に対応した図である。
【００８１】
図８（ａ）に破線で示す曲線Ｌ１１は、着用者の右膝の内側部位から、着用者の股間を通り、着用者の左膝の内側部位にいたっている（着用者の内股部を通っている）。また、図８（ｂ）に破線で示す曲線Ｌ１２は、曲線Ｌ１１と同じところ（図８（ａ）で示した着用者と同一の着用者の皮膚の部位）を通っている曲線である。
【００８２】
図８（ａ）で示す状態では、曲線Ｌ１１の長さがたとえば７０．５ｃｍであるのに対し、図８（ｂ）で示す状態では、曲線Ｌ１２の長さがたとえば８３．５ｃｍになり、着用者の姿勢によって、着用者の内股部の皮膚の長さが１８％程度増加するのである。
【００８３】
このように、着用者の内股部の皮膚の長さが１８％程度増加しても、伸縮素材３が設けられていることで、着用者は立膝の姿勢をとりやすい。
【００８４】
これに対して、図２７で示すような、前身頃２０１と後身頃２０３とを備えて構成されたズボンであると、伸縮素材が設けられていないので、上述した１８％の増加に十分対応することができず、着用者が立膝の姿勢をとりにくい。
【００８５】
なお、ズボン１によれば、着用者が立膝の姿勢になったときだけでなく、着用者が蹲踞の姿勢、胡坐をかいた姿勢等になった場合でも、立膝の姿勢の場合と同様に、着用者が蹲踞の姿勢や胡坐をかいた姿勢等の姿勢をとりやすくなる。
【００８６】
また、伸縮素材３は、ズボン１の他の部位（織物で構成された部位）に比べて、擦れや引っ掻きに弱く、擦れや引っ掻きによって、ニットの糸がスナッキングやピリングをおこしやすい。しかし、ズボン１では、伸縮素材３が上述した箇所に設けられているので、着用者がズボン１を履いて作業をして床や地面に座る等しても、伸縮素材３が、床や地面や壁等に当接しにくくなっている。たとえば、ズボン１では、伸縮素材３が臀部の下側の部位を避けて、臀部の上側の部位に位置しているので、着用者が臀部を屋根等につけるようにして座っても、伸縮素材３が屋根等に接することがない。したがって、伸縮素材３が擦れたりすること等がほとんど無くなり（スナッキングやピリングを起こすことがなくなり）、伸縮素材３が傷付くことを極力防止することができる。
【００８７】
一方、従来のスポーツウェアやダンス用被服では、被服の全体がニット等の伸縮素材で構成されているので、屋根上等の作業においてスナッキングやピリングが簡単に発生してしまい、実用に耐えないのである。
【００８８】
また、伸縮素材３が、上述したように設けられていることにより、伸縮素材３とサイドポケット５５とがお互いに干渉するとがなくなり、サイドポケット５５の設置が容易になっている。
【００８９】
また、ズボン１では、膝よりも下に伸縮素材３で構成された部位が存在しないので、伸縮素材３の使用量が削減されているとともに、壁等に接触しやすい膝下の部位がもつれる等して傷付くことを抑制することができる。
【００９０】
また、ズボン１によれば、伸縮素材３の膝近傍内側部位１５が、ズボン１のインシーム１９の部位よりも僅かに後方まで達しているので、着用者がはいたときに立膝の姿勢等を一層とりやすくなっている。
【００９１】
すなわち、前述したように、着用者が立膝の姿勢等をとったときは、ズボン１のインシーム１９のところで伸縮素材３が大きく延びることが望ましい。しかし、膝近傍内側部位１５がズボン１のインシーム１９の部位で止まっていると、織物に接合されている伸縮素材３が織物に邪魔されて十分に延びることができない。しかし、ズボン１では、伸縮素材３の膝近傍内側部位１５がズボン１のインシーム１９の部位よりも僅かに後方まで達しているので、織物の影響が小さくなり、ズボン１のインシーム１９の部位で伸縮素材３が十分に延び、着用者が立膝の姿勢等を一層とりやすくなる。
【００９２】
また、ズボン１によれば、伸縮素材３の幅が上から下に向かうにしたがって次第に広くなっているので、ズボン１をはいた着用者が立膝の姿勢等を一層とりやすくなる。
【００９３】
すなわち、着用者が図５で示すように立膝の姿勢をとった場合、伸縮素材３は膝近傍内側部位１５のインシーム１９のところで最も大きく幅方向に延び、上側に向かうほど延び量が小さくなる。したがって、伸縮素材３の幅が上から下に向かうにしたがって次第に広くなっていることで、ズボン１をはいた着用者が立膝の姿勢等を一層とりやすくなる。
【００９４】
また、伸縮素材３は、上側（腰部側）で幅が小さいので、ズボン１の臀部に後部ポケット５７を設けても、伸縮素材３と後部ポケット５７とがお互いに干渉せず、後部ポケット５７の設置が容易になる。
【００９５】
さらに、ズボン１上方では（腰部、特に仙骨部およびこの近傍）では、伸縮素材３が水平に近い方向で斜めに延伸しているので、後部ポケット５７との干渉を一層確実に避けることができる。
【００９６】
また、ズボン１によれば、ズボン１が汗で着用者の脚に貼り付いても、伸縮素材３が設けられているので、着用者が膝や腰を容易に曲げて開脚することができる。すなわち、従来のズボンでは、このズボンが着用者の脚に汗で貼り付いた状態で着用者が開脚等の動作をしようとすると、ズボンと脚の皮膚との間に滑りがほとんど発生せず、ズボンによって着用者の開脚等の動作が阻害される。しかし、ズボン１では、ズボン１が着用者の脚の皮膚に汗で貼り付いた状態で着用者が開脚等の動作したときに、ズボン１と脚の皮膚との間に滑りはほとんど発生しないが伸縮素材３が適宜伸びるので、ズボン１によって着用者の開脚等の動作が阻害されることは無い。
【００９７】
また、ズボン１によれば、着用者が起立している状態から膝等を曲げてしゃがむ場合であっても、伸縮素材３が適宜伸びるので、図２３に示すようなズボン（従来のズボン）のたくしあげをする必要が無くなる。そして、荷物を持っていること等によって着用者の両手が塞がっていても、ズボン１の着用者は、容易にしゃがんだ姿勢等をとることができる。
【００９８】
ここで、ズボン１の着用者（作業者）における皮膚の伸び等について説明する。
【００９９】
作業者が、蹲踞、膝立て等のしゃがみ姿勢をとると（起立姿勢からしゃがみ姿勢になると）、身体寸法の変化が生じる。この寸法変化は、主に股関節および膝関節の屈曲による皮膚の伸展・収縮、筋肉の収縮および骨の移動によって生じる。しゃがみ姿勢は、「屈伸」、「蹲踞」、「膝立て」、「あぐら」などが主にとられている姿勢である。作業者は、長時間、しゃがみ姿勢を維持したまま屋根上での作業を行うのである。
【０１００】
しゃがみ姿勢では、少なくとも、下肢の関節の屈曲運動が行われており、蹲踞の姿勢では、下肢の関節の屈曲運動に加えて、脚の外転、外旋運動を行っている。
【０１０１】
しゃがみ姿勢に特に関係する骨は、骨盤、大腿骨、膝蓋骨、脛骨である。これらのしゃがみ姿勢に関係する骨が連結する部分であって可動する部分が関節になっている。しゃがみ姿勢に特に関係する関節は、骨盤と大腿骨の連結部分である股関節、大腿骨と膝蓋骨と頚骨との連結部分である膝関節である。
【０１０２】
しゃがみ動作（起立姿勢からしゃがむ動作）における関節の動きについて説明する。下肢において、しゃがむとき、股関節と膝関節とが屈曲運動をする。また、蹲踞などの開脚が伴うしゃがみ動作においては、股関節がさらに外転運動と外旋運動とをする。
【０１０３】
股関節における屈曲は、前方に脚を突き出すように曲げる動作である。作業者が直立しているとき（起立姿勢にあるとき）に、膝を曲げない場合、脚（大腿部）は、胴体（腹部や胸部）に対して９０°程度の角度まで曲げることができる。また、作業者が直立しているとき（起立姿勢にあるとき）に、膝を曲げると、大腿部は、胴体（腹部や胸部）に対して１２５°程度の角度まで曲げることができる。
【０１０４】
膝関節における屈曲は、下腿部（脚におけるすね以下の部位）を大腿部に対して後方に送り出すように曲げる動作であって、１３０°程度の角度まで曲げることができる。
【０１０５】
股関節における外転は、大腿部が体軸から離れるように大腿部を開く動作であり、大腿部を体軸（胴体）に対して側方に４５°程度の角度まで曲げることができる。
【０１０６】
股関節における外旋は、大腿部の軸を中心にして大腿部を回転（回動）する動作であり、大腿部を外側に２０°程度の角度まで曲げることができる。
【０１０７】
作業者のしゃがみ動作は、上述した股関節と膝関節との屈曲運動、股関節の外転運動、股関節の外旋運動を組み合わせることでなされる。
【０１０８】
しゃがみ動作（起立姿勢からしゃがむ動作）における筋肉の動きについて説明する。しゃがみ動作ではたらく筋肉は、下肢の筋肉である。
【０１０９】
詳しく説明すると、股関節を屈曲するときには、大腰筋、腸骨筋、大腿直筋、縫工筋が収縮する。膝関節を屈曲するときには、薄筋、縫工筋、大腿二頭筋、半膜様筋、半腱様筋、ひ複筋、膝か筋が収縮する。股関節を外転するときには、中でん筋、小でん筋、縫工筋が作用し、股関節を外旋するときには、大でん筋、深層外旋六筋、縫工筋、大腿二頭筋が作用する。
【０１１０】
以上、しゃがみ動作における運動の種類、骨、関節、筋肉について説明したが、しゃがみ動作における運動に伴って、体表寸法の変化が生ずる。これは、しゃがみ動作において骨の移動、筋肉の収縮、関節の曲がりによって、体表（作業者の皮膚）の伸展および位置の変化が生じているからである。
【０１１１】
ここで、体表の変化について説明する。
【０１１２】
股関節の屈曲運動や外転運動や外旋運動、膝関節の屈曲運動により、大腿部の筋肉（大腰筋、腸骨筋、大腿直筋、縫工筋）が収縮すると、筋肉の膨隆が生じ、大腿部の周径（外周長；大腿部の直径）が大きくなる。さらに、膝裏部分では、腱の張り出しが発生しており、膝上部分の周径寸法も大きくなる。
【０１１３】
股関節を屈曲すると、骨盤と大腿骨の移動（回転運動）が生じる。膝関節を屈曲すると、膝関節における大腿骨、膝蓋骨、脛骨の移動（位置の変化）が生じる。股関節を外転すると、大腿骨が体軸から離れる方向に移動する。股関節を外旋すると、膝蓋骨が身体の側方へ移動する。
【０１１４】
股関節の屈曲により、臀部の皮膚が伸展する。膝関節の屈曲により、膝部表面が張り出し膝部前面の皮膚が伸展する。股関節の外転により、股下部から膝内側の皮膚が伸展する。股関節の外旋により、膝部前面から股下部までの皮膚が伸展する。
【０１１５】
上述した皮膚の伸びについて、膝立て姿勢時における変化（起立姿勢から膝立て姿勢に移行したときの変化）を測定した（図１５〜図２０参照）。なお、膝立て姿勢は、図５、図８、図１６（ａ）、図１９（ａ）、図２１、図２２に示す姿勢である。膝立て姿勢では、股関節が開脚等していることに加えて、一方の膝が屋根についている。図１６、図１９、図２１、図２２では、作業者は、左膝を屋根につけている。
【０１１６】
図１５（ａ）は、着用者が起立しているときに大腿部や腹部を前側から見た図である。また、図１５（ａ）は、皮膚の部位（大腿三角を含む大腿部における前側かつ内側の部位）Ａ〜Ｄ、Ａ´〜Ｄ´を示している。図１５（ｂ）は、皮膚の部位Ａ〜Ｄ、Ａ´〜Ｄ´の展開図である。
【０１１７】
図１６（ａ）は、着用者が膝立ての姿勢（立膝姿勢）をとっているときに大腿部や腹部を前側から見た図である。また、図１６（ａ）は、皮膚の部位（大腿三角を含む大腿部における前側かつ内側の部位）Ａ〜Ｄ、Ａ´〜Ｄ´を示している。図１６（ｂ）は、皮膚の部位Ａ〜Ｄ、Ａ´〜Ｄ´の展開図である。
【０１１８】
図１８（ａ）は、着用者が起立しているときに下肢や腹部を後側から見た図である。また、図１８（ａ）は、皮膚の部位（腰部および尻部）Ｅ〜Ｇ、Ｅ´〜Ｇ´を示している。図１８（ｂ）は、皮膚の部位Ｅ〜Ｇ、Ｅ´〜Ｇ´の展開図である。
【０１１９】
図１９（ａ）は、着用者が立膝姿勢であるときに下肢や腹部を後側から見た図である。また、図１９（ａ）は、皮膚の部位（腰部および尻部）Ｅ〜Ｇ、Ｅ´〜Ｇ´を示している。図１９（ｂ）は、皮膚の部位Ｅ〜Ｇ、Ｅ´〜Ｇ´の展開図である。
【０１２０】
着用者の前側の部位における皮膚の伸縮について説明する。
【０１２１】
図１７で示すように、図１５で示す部位（起立姿勢での右側部位）Ａと、図１６で示す部位（立膝姿勢での右側部位）Ａとを比較すると、起立姿勢から立膝姿勢に移行することで、面積が約２００％（正確には１９６．７％）になる。また、起立姿勢から立膝姿勢に移行することで、部位Ａの長さ（図１６（ｂ）では左右方向の寸法）が約２倍になる。
【０１２２】
図１５で示す部位（起立姿勢での右側部位）Ｂと、図１６で示す部位（立膝姿勢での右側部位）Ｂとを比較すると、起立姿勢から立膝姿勢に移行することで、面積が約８０％（正確には８０．１％）になる。
【０１２３】
図１５で示す部位（起立姿勢での右側部位）Ｃと、図１６で示す部位（立膝姿勢での右側部位）Ｃとを比較すると、起立姿勢から立膝姿勢に移行しても、面積の変化はほとんど無い（正確には１０４．３％になる）。
【０１２４】
図１５で示す部位（起立姿勢での右側部位）Ｄと、図１６で示す部位（立膝姿勢での右側部位）Ｄとを比較すると、起立姿勢から立膝姿勢に移行することで、面積が約１４０％（正確には１３６．７％）になる。
【０１２５】
図１５で示す部位（起立姿勢での左側部位）Ａ´と、図１６で示す部位（立膝姿勢での左側部位）Ａ´とを比較すると、起立姿勢から立膝姿勢に移行することで、面積が約１６０％（正確には１６２．７％）になっている。また、起立姿勢から立膝姿勢に移行することで、長さ（図１６（ｂ）では左右方向の寸法）が約１．７〜１．８倍程度になっている。
【０１２６】
図１５で示す部位（起立姿勢での左側部位）Ｂ´と、図１６で示す部位（立膝姿勢での左側部位）Ｂ´とを比較すると、起立姿勢から立膝姿勢に移行することで、面積が約９０％（正確には８５．９％）になっている。
【０１２７】
図１５で示す部位（起立姿勢での左側部位）Ｃ´と、図１６で示す部位（立膝姿勢での左側部位）Ｃ´とを比較すると、起立姿勢から立膝姿勢に移行することで、面積が約１１０％（正確には１１４．８％）になっている。
【０１２８】
図１５で示す部位（起立姿勢での左側部位）Ｄ´と、図１６で示す部位（立膝姿勢での左側部位）Ｄ´とを比較すると、起立姿勢から立膝姿勢に移行することで、面積が約１４０％（正確には１４２．９％）になっている。
【０１２９】
次に、着用者の後側の部位における皮膚の伸縮について説明する。
【０１３０】
図２０で示すように、図１８で示す部位（起立姿勢での左側部位）Ｅと、図１９で示す部位（立膝姿勢での左側部位）Ｅとを比較すると、起立姿勢から立膝姿勢に移行することで、面積が約１３０％（正確には１３４．５％）になる。
【０１３１】
図１８で示す部位（起立姿勢での左側部位）Ｆと、図１９で示す部位（立膝姿勢での左側部位）Ｆとを比較すると、起立姿勢から立膝姿勢に移行することで、面積が約１２０％（正確には１２０．３％）になる。
【０１３２】
図１８で示す部位（起立姿勢での左側部位）Ｇと、図１９で示す部位（立膝姿勢での左側部位）Ｇとを比較すると、起立姿勢から立膝姿勢に移行することで、面積が約２２０％（正確には２２２．５％）になる。また、起立姿勢から立膝姿勢に移行することで、部位Ｇの長さ（図１９（ｂ）では上下方向の寸法）が約２．２倍になっている。さらに、図１８（ｂ）で示す部位Ｇのひし形状の切り込みと、図１９（ｂ）で示す部位Ｇの「Ｖ」字状の切り欠きとからわかるように、起立姿勢から立膝姿勢に移行することで、部位Ｇの形態（立体的な形態）も変化する。
【０１３３】
なお、図１８（ｂ）と図１９（ｂ）とをから理解されるように、着用者の後側では、皮膚の伸びが左右でお互いがほぼ等しくなっている。
【０１３４】
作業者が、しゃがみ姿勢、特に開脚を伴う姿勢をとったとき、上述したように着用者の皮膚が伸展（伸縮）している。したがって、ズボン１の着用者がしゃがみ姿勢をとったときに快適性を感じ得るには、上述した皮膚の伸縮に応じてズボン１に伸縮素材（伸縮部材）３を設ける必要がある。
【０１３５】
ズボン１によれば、前身頃の太もも部分（大腿部）に伸縮素材３が設けられているので、図１５や図１６で示す部位Ａ，Ａ´での皮膚の伸びに追従して伸縮素材３が伸び、太もも部分のツッパリ感や窮屈感を防止し快適性を確保することができる。
【０１３６】
また、ズボン１によれば、後身頃においても、腰裏に設けられた伸縮素材３が伸縮して、図１８や図１９で示す部位Ｇ，Ｇ´での皮膚の伸びに追従して伸縮素材３が伸び、腰裏のツッパリ感や窮屈感を防止し快適性を確保することができる。
【０１３７】
ところで、図２１、図２２では、皮膚の部位Ａ，Ａ´や皮膚の部位Ｇ，Ｇ´が、伸縮素材３と重なっていない。しかしながら、部位Ａ，Ａ´や部位Ｇ，Ｇ´の伸縮に伴って、伸縮素材３が伸縮するので、上述したツッパリ感や窮屈感を防止することができる。
【０１３８】
たとえば、ズボン１の着用者は下着をはいている。これにより、部位Ａ，Ａ´や部位Ｇ，Ｇ´のところでは、着用者の皮膚とズボン１とが直接接触することは無い。そして、着用者が汗をかいても、着用者の皮膚（部位Ａ，Ａ´や部位Ｇ，Ｇ´のところ）にズボン１が貼り付くことはない。したがって、部位Ａ，Ａ´や部位Ｇ，Ｇ´が、伸縮素材３と重なっていなくても、しゃがみ姿勢をとったときに、部位Ａ，Ａ´や部位Ｇ，Ｇ´に対応したズボン１の部位（部位Ａ，Ａ´や部位Ｇ，Ｇ´に重なっているズボン１の布帛で構成された部位）のかわりに伸縮素材３が伸び、上述したツッパリ感や窮屈感を防止することができる。
【０１３９】
さらに、ズボン１の着用者が長時間しゃがみ姿勢を続けても、伸縮素材３が適宜伸びるので下肢の血管が圧迫されることはほとんど無く、立ち上がったときにバランスを崩すおそれもない。また、ズボン１の着用者がしゃがみ姿勢をとるとき、伸縮素材３が適宜伸びるのでツッパリ感が発生せず、スムーズにしゃがみ姿勢をとることができ、しゃがみ姿勢をとる途中でバランスを崩すおそれもない。これにより、屋根からの転落災害の発生を抑制することができる。
【０１４０】
また、ズボン１によれば、ズボン１の着用者がはしごを登る際に足を曲げて上方へ持ち上げるときに、伸縮素材３が適宜伸びるので、足の屈曲運動によるツッパリ感を防止できる。これにより、屋根からの転落災害を防止できる。
【０１４１】
さらに、ズボン１によれば、ズボン１の着用者がしゃがみ姿勢をとったときに、伸縮素材３が適宜伸びるので、ベルトによって腹部が圧迫されこの圧迫によって背骨が圧迫されることがなく、腹部や背骨の圧迫によるぎっくり腰の発生を回避することができる。
【０１４２】
ところで、ズボン１において、図６、図７で示すように、伸縮素材３の下方にカーゴポケット５９を設けてもよい。また、図６では、カーゴポケット５９がズボンから離れて描かれているが、実際には、図７で示すように、カーゴポケット５９はズボンにくっついている。また、図６は図１に対応した図であり、図７は図２に対応した図である。
【０１４３】
カーゴポケット５９について、詳しく説明する。
【０１４４】
カーゴポケット５９は、図７、図１０、図１１に示すように、ズボン１の着用者の股関節の外側に対応する部位（股関節外側部位）１１のところに位置する伸縮素材３（伸縮素材３の部位）の下方に設けられている。
【０１４５】
カーゴポケット５９の開口部３０１は、ズボン１の着用者が直立姿勢をとっているとき、前側の部位（開口部３０１の前側部位）３０３が後側の部位（開口部３０１の後側部位）よりも下方に位置しており、これにより水平面に対して斜めになって開口している。
【０１４６】
また、カーゴポケット５９の開口部３０１は、側面視においてたとえば直線状に形成されており、ズボン１の着用者の股関節外側部位１１に位置する伸縮素材３の下縁とほぼ平行になっている（図１１参照）。
【０１４７】
ズボン１の着用者が直立した姿勢をとっているとき（着用者１の大腿部が上下方向に延びているとき）、カーゴポケット５９の開口部３０１は、上下方向では着用者の大腿部の中間部に位置し、横方向では着用者の大腿部の外側の側方部位に位置している。また、カーゴポケット５９の開口部３０１は、カーゴポケット５９の他の部位よりも概ね上方に位置している。換言すれば、カーゴポケット５９の開口部３０１の上端３０９が、カーゴポケット５９の最上端に位置しており、カーゴポケット５９の開口部上端３０９以外の部位（開口部３０１の部位）は、カーゴポケット５９の上側に位置しており、カーゴポケット５９の収納部３０７は、開口部３０１の下側に位置している。
【０１４８】
さらに説明すると、ズボン１の着用者が直立した姿勢をとっているとき、カーゴポケット５９の開口部３０１の上端３０９は、股関節外側部位１１よりも僅かに下方であって、股関節外側部位１１よりも僅かに後方に位置している。また、ズボン１の着用者が直立した姿勢でいるとき、カーゴポケット５９の開口部３０１の下端３１１は、開口部３０１の上端３０９や股関節外側部位１１よりも下方であって、股関節外側部位１１よりも僅かに前方に位置している。
【０１４９】
また、ズボン１の着用者がしゃがんでいるとき（しゃがみ姿勢になっているとき）等、着用者の大腿部がほぼ水平方向に延びているとき、図１４（ａ２）で示すように、カーゴポケット５９の開口部３０１は、前側の部位３０３が後側の部位３０５よりも僅かに上方に位置して斜めに開口するようになっている。さらに説明すると、ズボン１の着用者が直立姿勢であるときにおける水平面とカーゴポケット５９の開口部３０１との交差角度θＨ１（図１４（ａ１）参照）のほうが、ズボン１の着用者がしゃがんでいるとき等における水平面とカーゴポケット５９の開口部３０１との交差角度θＨ２（図１４（ａ２）参照）よりも大きくなっている。
【０１５０】
なお、ズボン１の着用者がしゃがんでいるとき等において、カーゴポケット５９の開口部３０１がほぼ水平方向に延伸していてもよいし、カーゴポケット５９の開口部３０１の前側の部位３０３が後側の部位３０５よりも僅かに下方に位置して斜めに開口していてもよい。
【０１５１】
また、カーゴポケット５９には、第１の底部３１３と第２の底部３１５とが設けられている。第１の底部３１３は、ズボン１の着用者が直立姿勢をとっているときにほぼ水平方向に所定の長さ延びるようになっている（図１４（ａ１）等参照）。第２の底部３１５は、ズボン１の着用者がしゃがむ等の姿勢をとっているときにほぼ水平方向に所定の長さ延びるようになっている（図１４（ａ２）等参照）。なお、第１の底部３１３は第２の底部３１５よりも前側に位置しており、第１の底部３１３と第２の底部３１５はお互いがつながっているとともに所定の交差角度で交差している。
【０１５２】
また、カーゴポケット５９はマチ材３１７（図１２（ｂ）、図１３参照）を介してズボン１の本体（図１〜図３で示す、カーゴポケット５９が設けられていないズボン）３１９に設けられている。ただし、カーゴポケット５９の開口部３０１の両端部（直線状の開口部３０１の延伸方向の両端部；上端３０９と下端３１１）は、マチ材を介することなくズボン本体３１９に直接設けられている。
【０１５３】
換言すれば、カーゴポケット５９の開口部３０１は、カーゴポケット５９の上側でカーゴポケット５９の周辺部の一部に形成されており、開口部３０１は、ズボン本体３１９に接合されていない。また、カーゴポケット５９の開口部３０１以外の部位（カーゴポケット５９の周辺部の他の部位）は、ズボン本体３１９に接合されている。これにより、カーゴポケット５９の収納部３０７が形成されている。
【０１５４】
また、カーゴポケット５９の開口部３０１以外の部位の少なくとも一部は、マチ材３１７を介してズボンの本体３１９に設けられている。詳しく説明すると、カーゴポケット５９の開口部３０１の両端３０９，３１１に隣接している部位（カーゴポケット５９の周辺部の他の部位のうちで、開口部３０１の両端３０９，３１１に隣接している所定の長さの部位；図１１に示す部位３３３，３４３）は、ズボン本体３１９に直接接合されている。これにより、カーゴポケット５９の開口部３０１の両端３０９，３１１がズボン本体３１９に直接設けられていることになる。
【０１５５】
カーゴポケット５９について例を掲げてさらに詳しく説明する。
【０１５６】
カーゴポケット５９は、図１１や図１３等で示すように、ズボン本体３１９の外側でズボン本体３１９に一体的に設けられており、布帛で構成されたポケット布３２１と布帛で構成されたマチ材３１７とを備えて構成されている。
【０１５７】
ポケット布３２１はたとえば５角形状に形成されている。５角形状のポケット布３２１の１つの角（第１の角）３２３は、鋭角（９０°よりも僅かに小さい角度）になっている。なお、第１の角３２３が、９０°もしくは僅かに大きな鈍角になっていてもよい。
【０１５８】
また、５角形状のポケット布３２１における他の４つの角（第２の角〜第５の角）は、鈍角になっている。第１の角３２３のとなりに第２の角３２５が位置しており、第２の角３２５のとなりに第３の角３２７が位置しており、第３の角３２７のとなりに第４の角３２９が位置しており、第４の角３２９のとなりに第５の角３３１が位置しており、第５の角３３１のとなりに第１の角３２３が位置している。マチ材３１７は細長い直方体状に形成されている。
【０１５９】
ポケット布３２１は、この厚さ方向がズボン本体３１９の布帛５の厚さ方向と一致するようにして、ズボン本体３１９に設けられている。
【０１６０】
ズボン１の着用者が直立している状態では、図１１で示すように、ポケット布３２１の第１の角３２３がカーゴポケット５９の上端になっている。また、ポケット布３２１の第２の角３２５は、前後方向で、第１の角３２３よりも前側に位置しており、上下方向で、第１の角３２３よりも下側に位置している。
【０１６１】
また、ズボン１の着用者が直立している状態では、ポケット布３２１の第３の角３２７は、前後方向で、第１の角３２３よりも前側であって第２の角３２５よりも僅かに後側に位置しており、上下方向で、第２の角３２５よりも下側に位置している。
【０１６２】
また、ズボン１の着用者が直立している状態では、ポケット布３２１の第４の角３２９は、前後方向で、第１の角３２３よりも僅かに後側に位置しており、上下方向で、第３の角３２７とほぼ同じところに位置している。
【０１６３】
また、ズボン１の着用者が直立している状態では、ポケット布３２１の第５の角３３１は、前後方向で、第４の角３２９よりも僅かに後側に位置しており、上下方向で、第１の角３２３よりも下側で第２の角３２５よりも僅かに上側に位置している。
【０１６４】
また、ポケット布３２１における第１の角３２３と第２の角３２５との間の部位（ポケット布３２１の外周の一部）は、ズボン本体３１９に接合されておらず、第１の角３２３と第２の角３２５との間の直線部分が、カーゴポケット５９の開口部３０１になっている。
【０１６５】
また、ポケット布３２１における第２の角３２５と第３の角３２７との間の部位（ポケット布３２１の外周の一部）３３３は、マチ材３１７を介することなく、ズボン本体３１９に直接接合されており（図１１、図１２（ａ）参照）、ポケット布３２１における第３の角３２７と第４の角３２９との間の部位（ポケット布３２１の外周の一部）３３５、ポケット布３２１における第４の角３２９と第５の角３３１との間の部位（ポケット布３２１の外周の一部）３３７およびポケット布３２１における第５の角３３１と第１の角３２３との間の部位（ポケット布３２１の外周の一部）３３９は、マチ材３１７を介して、ズボン本体３１９に接合されている（図１１、図１２（ｂ）参照）。
【０１６６】
したがって、マチ材３１７を介してズボン本体３１９に設けられているポケット布３２１の周辺部は、ズボン本体３１９からマチ材３１７の幅だけ離れることができるようになっており（図１２（ｂ）参照）、カーゴポケット５９の収納部３０７が厚くなっている（ポケット布３２１がズボン本体３１９や着用者の皮膚から離れることができるようになっている）。
【０１６７】
ポケット布３２１のズボン本体３１９への接合についてさらに説明する。
【０１６８】
ポケット布３２１における第３の角３２７と第４の角３２９との間の部位（第３角第４角間部位）３３５は、前述したように、マチ材３１７を介してズボン本体３１９に接合されているのだが、より詳しくは、直線状の第３角第４角間部位３３５のうちの第３の角３２７のところに位置する僅かな長さの部位３４１では、ポケット布３２１がズボン本体３１９に直接設けられている（図１２（ｃ）参照）。すなわち、マチ材３１７は存在しているものの、ポケット布３２１とマチ材３１７とズボン本体３１９とがお互いに縫い付けられており、マチ材３１７が存在しているにもかかわらず、ポケット布３２１がズボン本体３１９や着用者の皮膚から離れることができないようになっている。なお、図１２（ｄ）で示すように、部位３４１でマチ材３１７を介することなく、ポケット布３２１がズボン本体３１９に直接設けられていてもよい。
【０１６９】
また、ポケット布３２１における第５の角３３１と第１の角３２３との間の部位（第５角第１角間部位）３３９は、前述したように、マチ材３１７を介してズボン本体３１９に接合されているのだが、より詳しくは、直線状の第５角第１角間部位３３９のうちの第１の角３２３のところに位置する僅かな長さの部位３４３では、部位３４１と同様にして、ポケット布３２１がズボン本体３１９に直接設けられている。
【０１７０】
このように構成されていることで、上述したように、カーゴポケット５９の開口部３０１の両端部３０９，３１１がズボン１の本体３１９に直接設けられていることになる。また、第３角第４角間部位３３５が、上述した第１の底部３１３になり、第４の角３２９と第５の角３３１との間の部位（第４角第５角間部位）３３７が、上述した第２の底部３１５になる。なお、図１２で示す参照符号３２０は、縫い目の糸を模式的に示したものである。
【０１７１】
また、カーゴポケット５９の上部には、フラップ（天蓋）３４５が設けられている。フラップ３４５は、カーゴポケット５９の開口部３０１にかぶさって、カーゴポケット５９の開口部３０１を覆うようになっている（図１０等参照）。
【０１７２】
フラップ３４５は、５角形状のおもて布（表地）３４７と裏地３４９とを縫い合わせて５角形状に形成されており、この５角形の各辺のうちの最も長い辺が、伸縮素材３Ｒと右前パンツ地２５Ｒとの境界のところ（伸縮素材右前パンツ地境界部）、および、伸縮素材３Ｒと右後パンツ地２７Ｒとの境界のところ（伸縮素材右後パンツ地境界部）に位置している（図７、図１０、図１１等参照）。そして、フラップ３４５がめくれあがっていない状態では、フラップ３４５がカーゴポケット５９の開口部３０１にかぶさって、開口部３０１に蓋をしており（図１０参照）、フラップ３４５がめくれあがったとき、フラップ３４５がカーゴポケット５９の開口部３０１があらわれるようになっている（図１１参照）。
【０１７３】
また、フラップ３４５には、面ファスナ構成部材３５１が一体的に設けられており、フラップ３４５がカーゴポケット５９の開口部３０１にかぶさって、面ファスナ構成部材３５１が、ポケット布３２１に一体的に設けられている面ファスナ構成部材３５３の係合することで、フラップ３４５がめくれあがることが防止され、カーゴポケット５９をフラップ３４５で蓋をした状態を維持することができるようになっている。
【０１７４】
なお、カーゴポケット５９の開口部３０１は、伸縮素材３の一辺部（幅方向の一方の辺部）４５Ｒ（伸縮素材右前パンツ地境界部、伸縮素材右後パンツ地境界部）から僅かに離れて、一方の辺部４５Ｒと平行になっている（図１１参照）。これにより、上述したように、ズボン１の着用者の股関節外側部位１１に位置する伸縮素材３の下縁とほぼ平行になっている。
【０１７５】
カーゴポケット５９を備えたズボン１によれば、カーゴポケット５９の開口部３０１における前側の部位３０３が後側の部位３０５よりも下方に位置して、開口部３０１が斜めに開口しているので、ズボン１の着用者がしゃがんだとき等において、カーゴポケット５９の開口部３０１から物（カーゴポケット５９内に収納されているボルト等）が落下しにくくなっている。
【０１７６】
すなわち、従来のズボンでは、図１４（ｂ１）で示すように、着用者が直立の姿勢をとっていると、カーゴポケットの開口部が水平方向に延びており、この状態では、物がカーゴポケットから落下することは無い。一方、従来のズボンでは、図１４（ｂ２）で示すように、着用者が立膝姿勢をとると、カーゴポケットの開口部がほぼ鉛直な方向に延びて、カーゴポケットの開口部から物が落下するおそれがある。さらに、屈伸や蹲踞等、膝を深く折りたたんだ姿勢では、カーゴポケットの開口部が下方を向き、カーゴポケットの内容物が落下してしまう。
【０１７７】
これに対して、本発明の実施形態に係るカーゴポケット５９付きのズボン１では、図１４（ａ１）で示すように、着用者が直立の姿勢をとっていることで、カーゴポケット５９の開口部３０１が斜めになっていても、物がカーゴポケット５９から落下することは無い。また、図１４（ａ２）で示すように、着用者がしゃがんだ姿勢をとっても、カーゴポケット５９の開口部３０１が水平方向に延びるので、物がカーゴポケット５９から落下することは無い。
【０１７８】
また、カーゴポケット５９付きのズボン１によれば、着用者がしゃがんだ姿勢をとったときでも、カーゴポケット５９の開口部３０１が水平方向に延びるので、着用者がカーゴポケット５９内に手を入れやすくなっており、カーゴポケット５９から物を取り出しやすくなっている。
【０１７９】
また、カーゴポケット５９付きのズボン１によれば、カーゴポケット５９が開口部の上端３０９と第１の底部３１３と第２の底部３１５とを備えていることで、着用者が直立の姿勢をとっているときには第１の底部３１３に物が集まり、着用者が立膝姿勢しているときには第２の底部３１５に物が集まり、さらに蹲踞、屈伸等、深く膝を折りたたんだ姿勢であっても、第２の底部３１５と開口部３０１の上端３０９の交点（第５の角３３１）に物が集まるので、カーゴポケット５９内に収納した物を、作業者の姿勢にかかわらず、カーゴポケット５９から取り出しやすくなっている。
【０１８０】
また、カーゴポケット５９付きのズボン１によれば、カーゴポケット５９がマチ材３１７を介してズボンの本体３１９に設けられているので、カーゴポケット５９の内部空間が広くなり、カーゴポケット５９への物の出し入れが容易になっている。さらに、カーゴポケット５９の開口部３０１の両端部３０９，３１１がズボンの本体３１９に直接設けられているので、開口部３０１の開口が収納部３０７よりも狭くなっており、カーゴポケット５９内に収納した物が、開口部３０１から外に出にくくなっており、カーゴポケット５９内に収納した物の落下を防止することができる。
【０１８１】
なお、上記説明では、カーゴポケット５９を伸縮素材３が設けられているズボン１に設けてあるが、伸縮素材３を設けていないズボンにカーゴポケット５９を設けてもよいし、さらに、伸縮素材３を用いておらずかつ右前パンツ地２５Ｒと右後パンツ地２７Ｒとの内側（左側）の接合部がインシーム１９と一致し、左前パンツ地２５Ｌと左後パンツ地２７Ｌとの内側（右側）の接合部がインシーム１９と一致しているズボン（普通のズボン、特に普通の作業ズボン）に、カーゴポケット５９を設けてもよい。
【０１８２】
すなわち、普通の作業ズボンに、カーゴポケット（着用者の大腿部の外側に対応する部位に設けられ、作業ズボンの着用者が直立姿勢をとっているとき、開口部３０１の前側の部位３０３が後側の部位３０５よりも下方に位置して斜めに開口しているカーゴポケット）５９を設けてもよい。
【０１８３】
ところで、上記説明は、ズボン（下衣）１についてのものであるが、ツナギ６１に伸縮素材３を設けてもよい。すなわち、上衣部（上着部）６５とズボン部６３とを備えて構成されているツナギ６１（図２４、図２５等参照）において、ズボン部６３を、ズボン１と同様に構成し、さらに、ツナギ本体（図２４、図２６で示すツナギ）にカーゴポケット５９を設ける等、適宜変更してもよい。図２５は、ツナギ６１の展開図であり、ズボン部６３を構成するものには、図４で示すズボン１のものと同じ符号を付してある。
【０１８４】
ズボン部６３がズボン１と同様に構成されたツナギ６１は、ズボン１と同様にして左右対称に形成されている。
【０１８５】
また、ツナギ６１（上衣部６５）には、帯状の伸縮素材（上衣肩部前側伸縮素材）６７が設けられている。上衣肩部前側伸縮素材６７は、着用者の首付け根斜め前部位６９から腕付け根前部位７１を通って脇下前部位７３にいたる部分で、上衣部６５の一部を構成している。
【０１８６】
首付け根斜め前部位６９は、着用者の首の付け根（首と胴体との境界もしくはこの境界よりも僅かに下方）の部位であって斜め前に位置する部位に対応する部位である。腕付け根前部位７１は、着用者の腕の付け根（腕と胴体との境界）の部位であって前側に位置する部位に対応する部位である。脇下前部位７３は、着用者の脇下の部位であって前側に位置する部位に対応する部位である。
【０１８７】
より詳しく説明すると、ツナギ６１は左右対称に構成されているので、上衣肩部前側伸縮素材６７は、上衣肩部右前側伸縮素材６７Ｒと上衣肩部左前側伸縮素材６７Ｌとで構成されている。そして、上衣肩部右前側伸縮素材６７Ｒは、首付け根斜め右前部位６９Ｒから腕付け根右前部位７１Ｒを通って脇下右前部位７３Ｒまで延びて設けられている。
【０１８８】
首付け根斜め右前部位６９Ｒは、着用者の首の付け根の一部であって着用者の右斜め前に位置する部位に対応する部位である。腕付け根右前部位７１Ｒは、着用者の右腕の付け根の一部であって着用者の前側に位置する部位（上下方向では右腕の付け根のほぼ中央部）に対応する部位である。脇下右前部位７３Ｒは、着用者の右脇下の前側部位に対応する部位である。
【０１８９】
上衣肩部右前側伸縮素材６７Ｒの長手方向は、上衣肩部右前側伸縮素材６７Ｒが延びて設けられている方向（首付け根斜め右前部位６９Ｒから腕付け根右前部位７１Ｒを通って脇下右前部位７３Ｒにいたる方向）である。上衣肩部右前側伸縮素材６７Ｒの幅方向は、上衣肩部右前側伸縮素材６７Ｒの長手方向とほぼ直交する方向である。
【０１９０】
上衣肩部右前側伸縮素材６７Ｒの幅は、たとえば一定ではなく、首付け根斜め右前部位６９Ｒで狭く、腕付け根右前部位７１Ｒに向かうにしたがって次第に広くなり、脇下右前部位７３Ｒに向かうにしたがって次第に狭くなっている。すなわち、上衣肩部右前側伸縮素材６７Ｒの幅の値は、滑らかに変化して、長手方向の両端部で小さく、長手方向の中央部で大きくなっている。
【０１９１】
上衣肩部左前側伸縮素材６７Ｌは、上衣肩部右前側伸縮素材６７Ｒと対称に形成されて対称に設けられている。
【０１９２】
また、ツナギ６１（上衣部６５）には、帯状の伸縮素材（上衣肩部後側伸縮素材）７５が設けられている。上衣肩部後側伸縮素材７５は、着用者の首付け根斜め後部位７７から腕付け根後部位７９を通って脇下後部位８１にいたる部分で、上衣部６５の一部を構成している。
【０１９３】
首付け根斜め後部位７７は、首の付け根（首と胴体との境界もしくはこの境界よりも僅かに下方）の部位であって斜め後に位置する部位に対応する部位である。
【０１９４】
腕付け根後部位７９は、腕の付け根（腕と胴体との境界）の部位であって後側に位置する部位に対応する部位である。
【０１９５】
脇下後部位８１は、脇下の部位であって後側に位置する部位に対応する部位である。
【０１９６】
より詳しく説明すると、ツナギ６１は左右対称なので、上衣肩部前側伸縮素材６７と同様にして、上衣肩部後側伸縮素材７５も、上衣肩部右後側伸縮素材７５Ｒと上衣肩部左後側伸縮素材７５Ｌとで構成されている。そして、上衣肩部右後側伸縮素材７５Ｒは、首付け根斜め右後部位７７Ｒから腕付け根右後部位７９Ｒを通って脇下右後部位８１Ｒまで延びて設けられている。
【０１９７】
首付け根斜め右後部位７７Ｒは、着用者の首の付け根の一部であって着用者の右斜め後に位置する部位に対応する部位である。腕付け根右後部位７９Ｒは、着用者の右腕の付け根の一部であって着用者の後側に位置する部位（上下方向では右腕の付け根のほぼ中央部）に対応する部位である。脇下右後部位８１Ｒは、着用者の右脇下の後側の部位に対応する部位である。
【０１９８】
上衣肩部右後側伸縮素材７５Ｒの長手方向は、上衣肩部右後側伸縮素材７５Ｒが延びて設けられている方向（首付け根斜め右後部位７７Ｒから腕付け根右後部位７９Ｒを通って脇下右後部位８１Ｒにいたる方向）である。上衣肩部右後側伸縮素材７５Ｒの幅方向は、上衣肩部右後側伸縮素材７５Ｒの長手方向とほぼ直交する方向である。
【０１９９】
上衣肩部右後側伸縮素材７５Ｒの幅は、たとえば一定ではなく、上衣肩部右前側伸縮素材６７Ｒと同様にして、長手方向の中央部で広く両端部で狭くなっている。
【０２００】
上衣肩部左後側伸縮素材７５Ｌは、上衣肩部右後側伸縮素材７５Ｒと対称に形成されて対称に設けられている。
【０２０１】
なお、ツナギ６１では、上衣肩部右前側伸縮素材６７Ｒ（上衣肩部左前側伸縮素材６７Ｌ）と上衣肩部右後側伸縮素材７５Ｒ（上衣肩部左後側伸縮素材７５Ｌ）とは、お互いがつながっていない（着用者の脇の下の部分で離れている）が、上衣肩部右前側伸縮素材６７Ｒ（上衣肩部左前側伸縮素材６７Ｌ）と上衣肩部右後側伸縮素材７５Ｒ（上衣肩部左後側伸縮素材７５Ｌ）とが、お互いがつながっていてもよい（着用者の脇の下の部分でつながっていてもよい）。
【０２０２】
また、上衣肩部前側伸縮素材６７、上衣肩部後側伸縮素材７５のいずれか一方を削除してもよいし、両方を削除してもよい。図２６は、上衣肩部前側伸縮素材６７が削除されたツナギ６１ａを示す図であって、図２４に対応する図である。
【０２０３】
また、ツナギ６１（上衣部６５）には、帯状の伸縮素材（上衣胴部伸縮素材）８３が設けられている。上衣胴部伸縮素材８３は、上側腰部部位８５から横腹部位８７を通り、腹部斜め前部位８９にいたるまでの部分で、上衣部６５の一部を構成している。
【０２０４】
上側腰部部位８５は、着用者の腰部（腰部のうちの上側の部位）に対応する部位である。横腹部位８７は、着用者の横腹部に対応する部位である。腹部斜め前部位８９は、着用者の腹部の斜め前に対応する部位である。
【０２０５】
より詳しく説明すると、ツナギ６１が左右対称に形成されているので、上衣胴部伸縮素材８３は、腹部右斜め前部位８９Ｒから、右横腹部位８７Ｒ、上側腰部部位８５、左横腹部位８７Ｌをこの順に通り、腹部左斜め前部位８９Ｌまで延びて設けられている。
【０２０６】
腹部右斜め前部位８９Ｒは、着用者の臍からほぼ右方向に所定の距離（たとえば１０ｃｍ程度）離れている箇所に対応する部位である。右横腹部位８７Ｒは、着用者の右の横腹（高さ方向では臍とほぼ同じ位置にあって腹と背との境界部に位置している箇所）に対応する右側の部位である。上側腰部部位８５は、着用者の腰部上側での着用者の真後に対応する部位である。
【０２０７】
左横腹部位８７Ｌは、着用者の左の横腹（高さ方向では臍とほぼ同じ位置にあって腹と背との境界部に位置している箇所）に対応する左側の部位である。腹部左斜め前部位８９Ｌは、着用者の臍からほぼ左方向に所定の距離（たとえば１０ｃｍ程度）離れている箇所に対応する部位である。
【０２０８】
上衣胴部伸縮素材８３の長手方向は、上衣胴部伸縮素材８３が延びて設けられている方向（腹部右斜め前部位８９Ｒから、右横腹部位８７Ｒ、上側腰部部位８５、左横腹部位８７Ｌをこの順に通り、腹部左斜め前部位８９Ｌにいたる方向）である。上衣胴部伸縮素材８３の幅方向は、上衣胴部伸縮素材８３の長手方向とほぼ直交する方向である。
【０２０９】
上衣胴部伸縮素材８３の幅は、たとえば一定ではなく、上衣肩部右前側伸縮素材６７Ｒと同様にして、長手方向の中央部で広く両端部で狭くなっている。
【０２１０】
ツナギ６１を着用者が着用したときに着用者とツナギ６１とを平面視すると、上衣胴部伸縮素材８３は、着用者の前側があいている「Ｃ」字状になっている。
【０２１１】
なお、上衣胴部伸縮素材８３とズボン部６３の伸縮素材３（３Ｒ,３Ｌ）とは、ウエストバンド地９１を間にして、お互いが離れているが、上衣胴部伸縮素材８３とズボン部６３の伸縮素材３とがお互いにつながっていてもよい。すなわち、図２４（ｂ）で示す部位（腰の幅よりも狭い所定の幅の部位）９３で、パンツ側伸縮素材３と上衣胴部伸縮素材８３とがお互いにつながっていてもよい。さらには、パンツ側伸縮素材３と上衣胴部伸縮素材８３とを一体の伸縮素材で構成してもよい。
【０２１２】
ツナギ６１について図２５を参照しつつさらに説明する。なお、図２５では、ツナギ６１の右側の部分のみを展開している。また、図２５で示す二重の半円９５が描かれている布地（伸縮素材を含む）は、二重の半円９５が描かれている線分９７に対して対称に形成されている。
【０２１３】
すなわち、ツナギ６１では、ズボン側伸縮素材３、ウエストバンド地９１、上衣胴部伸縮素材８３、背中身頃地９９、襟地１０１が、実際には線分９７に対して対称になっている。
【０２１４】
また、ツナギ６１は、右前身頃１０３（１０３Ｒ）、右上袖地１０５（１０５Ｒ）、右下袖地１０７（１０７Ｒ）とズボン部６３とを構成する布地とを備えて構成されており、図２５で示した各布地と、これらに対称な各布地（左側の各布地）を適宜縫い合わせることによって、ツナギ６１が生成される。
【０２１５】
ところで、図１等で示すズボン１では、左右の伸縮素材３Ｒ,３Ｌが分割されており、左右の伸縮素材３Ｒ,３Ｌをお互いに縫い合わせて、ズボン１を生成しているが、図１等で示すズボン１において、左右の伸縮素材３Ｒ,３Ｌを分割せず、一体で形成してもよい。
【０２１６】
また、図２５で示す上衣胴部伸縮素材８３は、一体で形成されているが、図２５で示す上衣胴部伸縮素材８３を左右に分割し、これらの左右に分割した上衣胴部伸縮素材をお互いに縫い合わせて上衣胴部伸縮素材を形成してもよい。
【０２１７】
ツナギ６１によれば、上衣肩部前側伸縮素材６７や上衣肩部後側伸縮素材７５が設けられているので、ツナギ６１の着用者が腕を動かすときに、上衣肩部前側伸縮素材６７や上衣肩部後側伸縮素材７５が伸縮し、腕を動かしやすくなる。
【０２１８】
また、ツナギ６１によれば、上衣胴部伸縮素材８３が設けられているので、ツナギ６１の着用者が腰を曲げるときに、上衣胴部伸縮素材８３が伸縮し、腰を曲げやすくなる。
【０２１９】
なお、図２４等で示すツナギ６１は、長袖タイプであるが、ツナギを半そでタイプにしたり、肩掛けタイプ（ランニングタイプ）にしてもよい。
【０２２０】
また、ツナギ６１において、ズボン部６３を削除し、上衣部６５のみとし、これを上衣として使用してもよい。
【０２２１】
さらに、各伸縮素材３、６７、７５、８３のうちの少なくともいずれかの伸縮素材が設けられていないツナギに、ズボン１の場合と同様にしてカーゴポケット５９を設けてもよい。
【符号の説明】
【０２２２】
１  ズボン
３  伸縮素材
７  腰部部位
１１  股関節外側部位
１５  膝近傍内側部位
１９  インシーム
６１、６１ａ  ツナギ
６３  ズボン部
６７  上衣肩部前側伸縮素材
６９  首付け根斜め前部位
７１  腕付け根前部位
７３  脇下前部位
７５  上衣肩部後側伸縮素材
７７  首付け根斜め後部位
７９  腕付け根後部位
８１  脇下後部位
８３  上衣胴部伸縮素材
８５  上側腰部部位
８７  横腹部位
８９  腹部斜め前部位
３０１  カーゴポケットの開口部
３０３  開口部の前側の部位
３０５  開口部の後側の部位
３０９  開口部の上端
３１１  開口部の下端
３１３  第１の底部
３１５  第２の底部
３１７  マチ材
３１９  ズボンの本体
【図１】
2012043673.tif 000003
【図２】
2012043673.tif 000004
【図３】
2012043673.tif 000005
【図４】
2012043673.tif 000006
【図５】
2012043673.tif 000007
【図６】
2012043673.tif 000008
【図７】
2012043673.tif 000009
【図８】
2012043673.tif 000010
【図９】
2012043673.tif 000011
【図１０】
2012043673.tif 000012
【図１１】
2012043673.tif 000013
【図１２】
2012043673.tif 000014
【図１３】
2012043673.tif 000015
【図１４】
2012043673.tif 000016
【図１５】
2012043673.tif 000017
【図１６】
2012043673.tif 000018
【図１７】
2012043673.tif 000019
【図１８】
2012043673.tif 000020
【図１９】
2012043673.tif 000021
【図２０】
2012043673.tif 000022
【図２１】
2012043673.tif 000023
【図２２】
2012043673.tif 000024
【図２３】
2012043673.tif 000025
【図２４】
2012043673.tif 000026
【図２５】
2012043673.tif 000027
【図２６】
2012043673.tif 000028
【図２７】
2012043673.tif 000029
【国際調査報告】
2012043673.tif 000030
2012043673.tif 000031
2012043673.tif 000032
2012043673.tif 000033